(57)【特許請求の範囲】
【請求項１】
端末装置が、マルチバイト文字モードに設定された下り主成員搬送波で一つのコード文字を受信する場合、端末装置が前記受信した一つのコード文字の1ビットのACK/NACKフィードバック情報を取得し、前記1ビットのACK/NACKフィードバック情報を2ビットに重複し、下り主成員搬送波に対応するACK/NACKフィードバックビットとすることと、
前記端末装置が、下り補助成員搬送波に配置された対応する各ACK/NACKフィードバックビットを取得することと、
前記端末装置が、取得した配置済み下り成員搬送波に対応する各ACK/NACKフィードバックビットを発送することと、
を含むことを特徴とするマルチビットACK/NACKフィードバック情報の伝送方法。
【請求項２】
前記端末装置が、確定フィードバックする必要があるACK/NACKフィードバックビットのビット数を確定し、その中で、前記各下り補助成員搬送波に相応するACK/NACKフィードバックビットのビット数と前記下り主成員搬送波に相応する2ビットACK/NACKフィードバックビットとの総和が前記端末装置がフィードバックする必要があるACK/NACKフィードバックビットのビット数と等しいこと、
を含むことを特徴とする請求項1に記載の方法。
【請求項３】
前記端末装置が、フィードバックする必要があるACK/NACKフィードバックビットのビット数を確定する方法が、具体的に、
FDDシステムに対して、前記端末装置が、配置した下り成員搬送波の数量、及び、配置した各下り搬送波の伝送モードによってフィードバックする必要があるACK/NACKフィードバックビットのビット数を確定することと、
TDDシステムに対して、前記端末装置が、配置した下り成員搬送波の数量、一つの上りサブフレームに相応してフィードバックする必要があるACK/NACKフィードバックビットの下りサブフレーム数量、及び、配置した各下り成員搬送波の伝送モードによってフィードバックする必要があるACK/NACKフィードバック情報のビット数を確定することと、
を含むことを特徴とする請求項2に記載の方法。
【請求項４】
前記端末装置が、配置した各下り補助成員搬送波に相応するACK/NACKフィードバックビットを取得し、具体的に、
前記端末装置が配置し、それにコード文字を受信していない各下り補助成員搬送波に対してNACK又はDTXフィードバックビットを生成すること、又は、
前記端末装置が、マルチバイト文字伝送モードに設定された下り補助成員搬送波で一つのコード文字だけを受信した場合、前記端末装置が、前記下り補助成員搬送波で受信した一つのコード文字の1ビットのACK/NACKフィードバック情報を取得し、前記1ビットACK/NACKフィードバック情報を2ビットに重複して、前記下り補助成員搬送波のACK/NACKフィードバックビットとすること、
を含むことを特徴とする請求項1に記載の方法。
【請求項５】
前記端末装置が、取得した配置済み下り成員搬送波に対応する各ACK/NACKフィードバックビットを発送し、具体的に、
前記端末装置がPUCCH format 1b with channel selection方式を採用し、取得した配置済み下り成員搬送波の各ACK/NACKフィードバックビットによって、候補信号チャネルリソースから一つの信号チャネルリソースに相応する変調記号を確定することと、
前記端末装置が、前記確定した一つの信号チャネルリソースで前記変調記号を発送することと、
を含むことを特徴とする請求項1に記載の方法。
【請求項６】
前記候補信号チャネルリソースが、少なくとも一つのスケジューリング下り主成員搬送波の物理下り制御信号チャネルPDCCHに対応する動的信号チャネルリソース、
を含むことを特徴とする請求項5に記載の方法。
【請求項７】
下り主成員搬送波をスケジューリングする物理下り制御信号チャネルPDCCHに対応する動的信号チャネルリソースが、更に、
前記動的信号チャネルリソースが前記PDCCHの制御信号チャネル元素の最低順番に対応すること、
を含むことを特徴とする請求項6に記載の方法。
【請求項８】
前記端末装置が、前記PDCCHの制御信号チャネル元素の最低順番に対応する前記動的信号チャネルリソースを信号チャネル選択に使用する候補信号チャネルリソースの下り主成員搬送波に対応する第一動的信号チャネルリソースとすること、
を特徴とする請求項7に記載の方法。
【請求項９】
端末装置が、マルチバイト文字伝送モードに設定された下り主成員搬送波で一つのコード文字だけ受信した場合、受信した一つのコード文字の1ビットのACK/NACKフィードバック情報を取得し、前記1ビットのACK/NACKフィードバック情報を2ビットに重複し、下り主成員搬送波に対応するACK/NACKフィードバックビットとし、下り各補助成員搬送波に配置された対応するACK/NACKフィードバックビットを取得する取得モジュールと、
前記取得モジュールが取得した配置済み下り成員搬送波に対応する各ACK/NACKフィードバックビットを発送する発送モジュールと、
を含むことを特徴とする端末装置。
【請求項１０】
確定モジュールを含み、これによりフィードバックする必要があるACK/NACKフィードバックビットのビット数を確定し、その中で、前記各下り補助成員搬送波に対応するACK/NACKフィードバックビットのビット数と前記下り主成員搬送波に対応する2ビットACK/NACKフィードバックビットとの総和が前記確定モジュールが確定したフィードバックする必要があるACK/NACKフィードバックビットのビット数と等しく、具体的に、
FDDシステムに対して、配置した下り成員搬送波の数量、及び、配置した各下り搬送波の伝送モードによってフィードバックする必要があるACK/NACKフィードバックビットのビット数を確定することと、
TDDシステムに対して、配置した下り成員搬送波の数量、一つの上りサブフレームに相応するACK/NACKフィードバックビットをフィードバックする必要がある下りサブフレーム数量、及び、配置した各下り成員搬送波の伝送モードによってフィードバックする必要があるACK/NACKフィードバックビットのビット数を確定することと、
を含むことを特徴とする請求項9に記載の端末装置。
【請求項１１】
前記取得モジュールが、候補信号チャネルリソースを取得し、前記候補信号チャネルリソースが少なくとも前記下り主成員搬送波をスケジューリングする一つの物理下り制御信号チャネルPDCCHに対応する動的信号チャネルリソースを含むこと、
を特徴とする請求項9に記載の端末装置。
【請求項１２】
前記取得モジュールが、前記スケジューリング下り主成員搬送波のPDCCHの制御信号チャネル元素CCEの最低順番によって一つの動的信号チャネルリソースを確定すること、
を特徴とする請求項11に記載の端末装置。
【請求項１３】
選択モジュールを含み、これにより前記取得モジュールが、前記下り主成員搬送波をスケジューリングするPDCCHの制御信号チャネル元素CCEの最低順番によって取得した一つの動的信号チャネルリソースを前記端末装置の信号チャネル選択に使用する候補信号チャネルリソースの下り主成員搬送波に対応する第一動的信号チャネルリソースとすること、
を特徴とする請求項12に記載の端末装置。
【請求項１４】
前記選択モジュールが、PUCCH format 1b with channel selection方式を採用し、前記取得モジュールが取得した配置済み下り成員搬送波に対応する各ACK/NACKフィードバックビットによって、前記取得モジュールが取得した候補信号チャネルリソースの中から対応する一つの信号チャネルリソースと変調記号を確定し、
前記発送モジュールが、前記選択モジュールが選択した対応する信号チャネルリソースで前記変調記号を発送すること、
を特徴とする請求項13に記載の端末装置。
【請求項１５】
前記取得モジュールが、配置した各下り補助成員搬送波に相応するACK/NACKフィードバックビットを取得し、更に、
前記取得モジュールが、配置したコード文字を受信していない下り補助成員搬送波に対するNACKあるいはDTXフィードバックビットを生成すること、又は、
マルチバイト文字伝送モードに設定された下り補助成員搬送波で一つのコード文字だけを受信した場合、前記取得モジュールが、受信した一つのコード文字の1ビットのACK/NACKフィードバック情報を取得し、前記1ビットACK/NACKフィードバック情報を2ビットに重複し、前記下り補助成員搬送波のACK/NACKフィードバックビットとすること、
を特徴とする請求項9に記載の端末装置。
【発明の詳細な説明】
【技術分野】
【０００１】
本発明は、通信技術領域、特にACK/NACKフィードバック情報の伝送方法と設備に係る。
【背景技術】
【０００２】
LTE-A（Long Term Evolution Advanced、高級長期進化）は、LTE（Long Term Evolution、長期進化）システムより広いシステム帯域幅、例えば、100MHzをサポートし、100M帯域幅を分配することができる周波数スペクトルで、図1のように、従来のシステムに分配した一部分の周波数スペクトルを重合することによって、大きな帯域幅に整合することによって長期進化のマルチ搬送波システムの使用に備えることができ、この場合、システムにおいて上り・下り搬送波を非対称に配置する可能性がある、即ち、ユーザはN≧1個の搬送波を占有して下り伝送を行い、M≧1個の搬送波を占用して上り伝送を行うことができ、図2に示すとおりである。
【０００３】
LTE-Aシステムでは、現在、最大五つの搬送波を集約することができ、一つのLTE-A 端末装置（User Equipment、UEと略称される）は、同じ上りサブフレーム内でフィードバックに相応する幾つかの下り搬送波及び下りサブフレームのACK（Acknowledgement、確認）/NACK（Negative Acknowledgement、否定確認）フィードバック情報をフィードバックする必要がある。LTE-Aシステムにおいて、4ビット以下のACK/NACKフィードバック情報に対してPUCCH （Physical Uplink Control Channel、物理上り制御信号チャネル）Format 1b with channel selection伝送方式を採用することができ、FDD（Frequency Division Duplex、周波数分割二重通信）システムに対して、この方式の典型的な応用場面は2個の搬送波を集約する場面であることを確定した。
【０００４】
PUCCH Format 1b with channel selection方式は、端末装置が複数の信号チャネルリソースから選択伝送を行うことによって異なるACK/NACKフィードバック情報状態を区分し、この中で、ACK/NACK対応表は、フィードバック待ちACK/NACKフィードバック情報、信号チャネル伝送情報（即ち、PUCCH format 1b QPSK変調の4個の星座点）、及び伝送信号チャネルを実現するものである。2、3、4ビットのACK/NACKフィードバックに対して、それぞれ2、3、4個の上り制御信号チャネルリソースが必要である。
【０００５】
LTE システムにおいて、PUCCH Format 1b with channel selection方式を採用してACK/NACKを伝送する場合、使用する信号チャネルリソースはすべて暗黙の信号チャネルリソースである。暗黙の信号チャネルリソースとは、一つの上り搬送波に対応する一つの固定的な下り搬送波の制御情報区域に保留された上り制御信号チャネルリソースで、制御情報区域の最小単位はCCE（Control Channel Element、制御信号チャネルユニット）であり、端末装置は、当該下り搬送波で発送した各下り制御シグナルの最低CCEコードを通じて、計算により一つの利用可能な上り制御信号チャネルリソースを取得し、この種類のリソースを「暗黙の信号チャネルリソース」又は「動的信号チャネルリソース」と略称する。
【０００６】
LTE-Aシステムにおいて、各UL CC（Uplink Component Carrier、上り成員搬送波）の暗黙の信号チャネルリソースの保留部は、これとマッチングするDL CC（Downlink Component Carrier，下り成員搬送波）のPDCCH（Physical Downlink Control Channel、物理下り制御信号チャネル）に対してのみ保留を行うが、PUCCHはUL PCC（Uplink Primary Component Carrier、上り主成員搬送波）だけで発送できるので、一つの端末装置にとって、暗黙の信号チャネルリソースは、UL PCCのみに存在し、UL PCCがDL PCC（Downlink Primary Component Carrier、下り主成員搬送波）に対してのみリソース保留を行い、DL PCCで発送したPDCCHだけで暗黙の信号チャネルリソースが存在することを考慮すると、PUCCH format 1b with channel selection方式が必要とする信号チャネルリソースを必ず暗黙の信号チャネルリソースから取得できるとは言えない。
【０００７】
LTE-Aシステムで新しいACK/NACK対応表を設計することによって、下記の要求を満足する。
（1）できるだけUL PCCで保留した暗黙のリソースを使用することによって、上り制御信号チャネルリソースの消費を減少させること。
（2）搬送波渡りスケジューリングと非搬送波渡りスケジューリングを同時に応用することによって、標準の複雑度を低減させること。
（3）LTEシステムのACK/NACK対応表に存在する複数対一の不明確な状態を防止すること。
（4）DL CC再配置プロセス又はDL PCCだけで存在するデータ・パケットスケジューリング時の不明確という問題を防止する、即ち、端末装置がDL PCCだけでデータ・パケット伝送を受信する（DL CC再配置の場合、優先的に、基地局がDL PCCだけで一つのサブフレームの下りデータを発送する、又は、UEが複数のDL CCを配置したが、基地局がDL PCCだけで一つのサブフレームのデータ・パケットをスケジューリングした）場合、LTE Rel-8のPUCCH format 1a/1b伝送方式にロールバックしても良い、即ち、この状況の下で、PUCCH format 1b with channel selection方式でACK/NACK伝送に使用するQPSK星座点と信号チャネルリソースが、PUCCH format 1a/1bで主搬送波の一つのデータ・パケットに相応するACK/NACKの伝送に使用するQPSK変調記号（または、星座点と称する）及び信号チャネルリソースと一致するよう保障する。
【０００８】
LTE-A Rel-10システムがRel-8 PUCCH format 1a/1b伝送へのロールバックをサポートする場合、端末装置とeNB（evolved NodeB、進化したBノード、即ち、基地局）とが採用する伝送方式が不一致となるいう問題を解決する必要があり、主な場合は下記の通りである。
場合1： DL CC再配置の際に、eNBと端末装置の発効時間が異なるため、eNBと端末装置のDL CCの配置個数が不一致となるという問題が発生する可能性がある。
【０００９】
例えば、端末装置がDL CCを2個のCCから1個のCCに低減して配置する場合、eNBがDL PCCだけで一つのコード文字をスケジューリングし、eNBがUL PCCでPUCCH format 1a（FDDシステム：単一コード文字又はマルチバイト文字で伝送するが、一つのコード文字のスケジューリングだけ存在する、又は、TDDシステム：単一コード文字又はマルチバイト文字で伝送するが、一つのコード文字スケジューリングだけ存在する）を採用して1ビットのACK/NACKフィードバック情報を受信するよう要求する、又は、PUCCH format 1b（FDDシステム：マルチバイト文字で伝送し、それと同時に、2個のコード文字をスケジューリングする、又は、TDDシステム：マルチバイト文字で伝送し、それと同時に、2個のコード文字をスケジューリングする）を採用して、2ビットACK/NACKフィードバック情報を受信することを要求する。
【００１０】
但し、端末装置側でこの配置が発効する前に、端末装置が依然として2DL CC配置の下で処理し、依然として2CC配置によってACK/NACKフィードバックビットを生成し、それにUL PCCでPUCCH format 1b with channel selection方式を採用してACK/NACKフィードバック情報を伝送する。UEが信号チャネルを選択した後、確定したQPSK変調記号と伝送信号チャネルがPUCCH format 1a/1bと一致しないと、eNBはACK/NACK情報を正しく受信できない。逆に、端末装置がDL CCを1個のCCから2個のCCに配置を増やす場合、前記と同様、不一致となる問題がある。
【００１１】
場合2：UEに複数のDL CCが配置されたが、eNBがDL PCCだけでスケジューリングをした場合、eNBと端末装置の伝送方式の不一致の問題が発生する可能性がある。
【００１２】
例えば、eNBがDL PCCだけで一つのサブフレームのデータ・パケット伝送をスケジューリングしたので、UL PCCでPUCCH format 1a（単一コード文字とスケジューリングする）/1bを採用して（マルチバイト文字とスケジューリングする）ACK/NACKフィードバック情報を受信するよう希望する。
【００１３】
但し、UE配置作業が2個のDL CCにあるので、UEが実際に幾つかのDL CCからデータ・パケットを受信しても、UEが2CC配置によってACK/NACKフィードバックビットを生成し、それにUL PCCでPUCCH format 1b with channel selection方式を採用してACK/NACKフィードバック情報を伝送する。UEが信号チャネルを選択後に確定したQPSK変調記号及び伝送信号チャネルがPUCCH format 1a/1bと一致しないと、eNBはACK/NACK情報を正しく受信できない。
【００１４】
以上の問題を解決する為に、ACK/NACK対応表の設計が、DL PCCだけで一つのサブフレームの下り伝送が存在する場合のACK/NACKフィードバック状態に相応する伝送信号チャネル及び変調記号がPUCCH format 1a/1bと合致するよう保障する。
【００１５】
表1に示すFDDシステムの2ビットACK/NACK対応表の中で、2個の信号チャネルリソースを使用して、信号チャネル選択を行い、PUCCH format 1bのロールバック（即ち、選択した信号チャネルがPUCCH format 1bと一致しない可能性のある場合、例えば、信号チャネル2を選択する場合）はサポートできず、背景色のある2個の状態は、PUCCH format 1aに対するロールバック（即ち、QPSK記号及び選択した信号チャネルがPUCCH format 1aと一致すること）はサポートできる。
【００１６】
【表１】
0005523631.tif 000002
【００１７】
表2に示すFDDシステムの3ビットACK/NACK対応表で、背景色のある部分のDL PCCがマルチバイト文字モードの場合の対応方式で、この場合、背景色のある4個の状態がPUCCH format 1bに対するロールバック（即ち、QPSK記号及び選択した信号チャネルがPUCCH format 1bと一致しない）はサポートできるが、PUCCH format 1aに対するロールバック（即ち、QPSK記号及び選択した信号チャネルがPUCCH format 1aと一致しない）はサポートできない。太字部分のDL PCCが単一コード文字モードの場合の対応方式で、この場合、太字の2個の状態がPUCCH format 1aに対するロールバック（即ち、QPSK記号及び選択した信号チャネルがPUCCH format 1aと一致する）はサポートできる。
【００１８】
【表２】
0005523631.tif 000003
【００１９】
表3に示すFDDシステムの4ビットACK/NACK対応表で、DL PCCがマルチバイト文字モードの場合の対応方式で、この場合、太字の4個の状態はPUCCH format 1bに対するロールバック（即ち、QPSK記号及び選択した信号チャネルがPUCCH format 1bと一致する）はサポートできるが、PUCCH format 1aに対するロールバック（即ち、QPSK記号及び選択した信号チャネルがPUCCH format 1aと一致しない）はサポートできない。
【００２０】
【表３】
0005523631.tif 000004
【００２１】
ここで、表1、表2及び表3において、文字AはACKを表し、文字NはNACKを表す。
端末装置が一つの下り搬送波に対するフィードバック情報状態がACK（正しく受信したデータ・パケット）、NACK（間違って受信したデータ・パケット）、及び、DTX（Discontinuous Transmission、不連続な発送、即ち、紛失又はスケジューリングしていないデータ・パケット）を含む。
【００２２】
現在、LTE-A FDDシステムですでに確定したように、端末装置フィードバックACK/NACKフィードバック情報ビットに対して、配置した下り搬送波と各下り搬送波の伝送モードによって確定する、即ち、端末装置が一つの上りサブフレームに
【数１】
0005523631.tif 000005
ビットのACK/NACKをフィードバックする必要があり、この中で、Ciが各下り搬送波のコード文字数（単一コード文字伝送時に、C=1で、マルチバイト文字伝送時にC=2である）で、異なる下り搬送波の伝送モード（即ち、コード文字数）でもよく、Nは端末装置で配置した下り搬送波数である。
【００２３】
FDDシステムに対して、一つのDL CCがマルチバイト文字伝送モード、即ち、MIMO（Multiple-Input Multiple-Out-put、マルチ入力・出力）伝送モードである場合、端末装置は、各コード文字に単独に1ビットACK/NACKフィードバック情報を生成する必要があり、当該DL CCに実際に2個のコード文字スケジューリングが存在するかにも関わらない。伝送モードがMIMOであるが、一つのコード文字伝送しかないDL CCに対して、端末装置が二つ目のコード文字に一つの仮定したACK/NACKフィードバック状態を生成する必要があり、これで、端末装置でフィードバックしたACK/NACKビットの総数が
【数２】
0005523631.tif 000006
であることになる。LTE Rel-8システムにおいて、端末装置がスケジューリングを有しないデータ・パケット/コード文字位置に対して、NACK情報を生成する。
【発明の概要】
【発明が解決しようとする課題】
【００２４】
本発明の実施形態の実現プロセスで、発明者は、従来の技術に少なくとも下記の問題が存在することを発見した。
LTE-A Rel-10システムにおいて、端末装置がPCCでMIMO伝送モードと配置したが、実際のDL PCCに一つのコード文字スケジューリングだけがある場合、PUCCH format 1aにロールバックして1ビットACK/NACK伝送を行うことをサポートすべきである。PUCCH format 1aでACKフィードバック状態が変調記号「-1」に対応し、NACKフィードバック状態が変調記号「1」に対応する。LTE Rel-8方式によって、スケジューリングのないコード文字位置にNACK情報を生成すると、端末装置がDL PCCで一つのコード文字だけを受信する場合、端末装置が生成したDL PCCに対応するACK/NACKフィードバック情報が[A,N]である場合、表1と表2に示すように、PUCCH format 1aに相応する「-1」であるのに対し、対応する伝送記号が「j」であるので、PUCCH format 1aにロールバックできない。
【００２５】
現在、従来の技術では相応する解決案がない。
【課題を解決するための手段】
【００２６】
本発明の実施形態は、LTE-Aシステムにおいて、DL CC再配置又はDL PCCだけにスケジューリングがある場合、LTE Rel-8 PUCCH format 1a/1b伝送方式のロールバックを実現するACK/NACKフィードバック情報の伝送方法と設備を提供する。
【００２７】
また、前記目的を達成する為に、本発明の実施形態は、
端末装置が、マルチバイト文字伝送モードに設定された下り主成員搬送波で一つのコード文字だけを受信した場合、端末装置が前記受信した一つのコード文字の1ビットのACK/NACKフィードバック情報を取得し、前記1ビットのACK/NACKフィードバック情報を2ビットに重複し、下り主成員搬送波に対応するACK/NACKフィードバックビットとすることと、
前記端末装置が、配置した各下り補助成員搬送波に対応する各ACK/NACKフィードバックビットを取得することと、
前記端末装置が、取得した配置済み下り成員搬送波に対応する各ACK/NACKフィードバックビットを発送することと、を含むマルチビットACK/NACKフィードバック情報の伝送方法を提供する。
【００２８】
また、本発明の実施形態は、
端末装置が、マルチバイト文字伝送モードに設定された下り主成員搬送波で一つのコード文字だけを受信した場合、受信した一つのコード文字の1ビットのACK/NACKフィードバック情報を取得し、前記1ビットのACK/NACKフィードバック情報を2ビットに重複し、下り主成員搬送波に対応するACK/NACKフィードバックビットとし、配置した各下り補助成員搬送波に配置された対応するACK/NACKフィードバックビットを取得する取得モジュールと、
前記取得モジュールが取得した配置済み下り成員搬送波に対応する各ACK/NACKフィードバックビットを発送する発送モジュールと、を含む端末装置とを提供する。
【発明の効果】
【００２９】
従来技術と比べて、本発明の実施形態は下記の優位性を持つ。
本発明の技術案を応用することによって、PUCCH format 1b with channel selection方式を採用し、ACK/NACK対応表に基づいてACK/NACKフィードバック情報を伝送する場合、ACK/NACKフィードバック情報フィードバックのプロセスで、基地局と端末装置の伝送方式が一致しないことによる検定結果の不一致の問題を防止し、LTE Rel-8 PUCCH format 1a/1b伝送方式のロールバックを実現する。
【図面の簡単な説明】
【００３０】
【図１】従来技術における単一周波数スペクトルシステム見取図である。
【図２】従来技術における周波数スペクトル重合システム見取図である。
【図３】本発明実施形態で提供したACK/NACKフィードバック情報の伝送方法のフロー見取図である。
【図４】本発明実施形態で提供した応用場面１のACK/NACKフィードバック情報の伝送方法のフロー見取図である。
【図５】本発明実施形態で提供した応用場面２のACK/NACKフィードバック情報の伝送方法のフロー見取図である。
【図６Ａ】本発明実施形態で提供した応用場面３のACK/NACKフィードバック情報の伝送方法のフロー見取図である。
【図６Ｂ】本発明実施形態で提供した応用場面４のACK/NACKフィードバック情報の伝送方法のフロー見取図である。
【図７】本発明実施形態で提供した応用場面５のACK/NACKフィードバック情報の伝送方法のフロー見取図である。
【図８】本発明実施形態で提供した応用場面６のACK/NACKフィードバック情報の伝送方法のフロー見取図である。
【図９】本発明実施形態で提供した応用場面７のACK/NACKフィードバック情報の伝送方法のフロー見取図である。
【図１０】本発明の実施形態で提供した端末装置の構造見取図である。
【発明を実施するための形態】
【００３１】
背景技術で述べたように、現在、LTE-A搬送波重合（CA，carrier aggregation）システムにおいて、すでにPUCCH Format 1b with channel selection方式はACK/NACKを多重化（Multiplexing）して伝送する方式として確定している。
【００３２】
端末装置が下り主成員搬送波だけにスケジューリングがある場合、LTE-Aシステムは、LTE Rel-8システムの単一搬送波ACK/NACK伝送方式においてロールバック（fall back）でき、即ち、PUCCH format 1a/1bを採用してACK/NACK伝送を行う方式と同等である。
【００３３】
このような互換性の需要を満たす為に、LTE-Aシステムにおいて新しいACK/NACK 対応表を設計する必要があり、当該対応表が、DL SCCのデータ・パケットDTX状態を満足する場合に、実際にPUCCH format 1b with channel selection方式で伝送した変調記号と使用した伝送信号チャネルがPUCCH format1a/1bと一致することで、端末装置とeNBとの間の検定結果が不一致となる問題を防止する。
【００３４】
DL PCCには、単一コード文字モードとマルチバイト文字モードの二種の伝送モードがあることを考慮すると、DL PCCのACK/NACK生成を異なるDL PCC伝送モードに基づいて実施することによって、ロールバックを実現する必要がある。
【００３５】
以上の原因に基づいて、本発明の実施形態は、PUCCH format 1b with channel selection方式を採用し、ACK/NACK対応表伝送ACK/NACKフィードバック情報に基づく方法を提出した。
【００３６】
図3は、本発明の実施形態で提出したACK/NACKフィードバック情報の伝送方法のフロー見取図であり、当該方法は具体的に下記の手順を含む。
手順S301、端末装置がフィードバックする必要があるACK/NACKフィードバックビットのビット数を確定すること。
【００３７】
本手順の処理は、主に端末装置側とネットワーク側がフィードバック待ちACK/NACKフィードバック情報のビット数の一致を保障することで、情報の不明確を防止する。
【００３８】
本手順で、具体的な実現プロセスには、システムのタイプの差異により、下記の二種の状況がある。
（1）FDDシステムに対して、端末装置が、配置された下り成員搬送波の数量、及び、設定された各下り搬送波の伝送モードによってフィードバックする必要があるACK/NACKフィードバックビットのビット数を確定することと、
（2）TDDシステムに対して、端末装置が、配置された下り成員搬送波の数量、一つの上りサブフレームに対応するACK/NACKフィードバックビットをフィードバックする必要がある下りサブフレーム数量、及び、設定された各下り成員搬送波の伝送モードによってフィードバックする必要があるACK/NACKフィードバック情報のビット数を確定すること、である。
【００３９】
指摘すべきことは、実際の応用中に、端末装置が、配置される下り成員搬送波数と各下り成員搬送波の伝送モード設定又は再設定の後、フィードバックする必要があるACK/NACKフィードバック情報のビット数の確定を行い、確定後にこの数値は変わらない、即ち、端末装置は常に既に確定したACK/NACKフィードバックビット数によってフィードバックを行い、端末装置は再設定した下り搬送波数、又は、下り搬送波の伝送モードのシグナルが発効しない限り、フィードバックする必要があるACK/NACKフィードバック情報のビット数を再度確定しない。
【００４０】
手順S302、端末装置がマルチバイト文字伝送モードに設定した下り主成員搬送波の上に一つのコード文字だけを受信した場合、端末装置が受信した一つのコード文字の1ビットのACK/NACKフィードバック情報を取得し、1ビットACK/NACKフィードバック情報を2ビットに重複し、下り主成員搬送波に対応するACK/NACKフィードバックビットとすること。
【００４１】
その中で、前記一つのコード文字は、動的スケジューリングする一つのコード文字伝送、及び、一つの下り準持続スケジューリング（SPS、Semi-Persistent Scheduling）リソース解放指示のPDCCH伝送の状況を含む、即ち、端末装置が、マルチバイト文字伝送モードに設定された下り主成員搬送波で一つの下りSPSリソース解放指示のPDCCHだけを受信した場合、前記一つのコード文字は、当該下りSPSリソース解放指示のPDCCHに相当し、端末装置が受信した下りSPSリソース解放指示のPDCCHの1ビットのACK/NACKフィードバック情報を取得し、それに1ビットACK/NACKフィードバック情報を2ビットに重複して、下り主成員搬送波に対応するACK/NACKフィードバックビットとする。
【００４２】
この中で、端末装置が受信した一つのコード文字（下りSPSリソース解放指示のPDCCHを含む）に対応する動的信号チャネルリソースを端末装置の信号チャネル選択に使用する各信号チャネルリソースの下り主成員搬送波に対応する動的信号チャネルリソースとする。優先的に、下り主成員搬送波がマルチバイト文字伝送モードの場合、ACK/NACK対応表の第一信号チャネルリソース
【数３】
0005523631.tif 000007
とする。
【００４３】
具体的な応用場面の中で、前記動的信号チャネルリソースが端末装置でPDCCHの制御信号チャネル元素CCEの最低順番によって確定した上り主搬送波の一つの信号チャネルリソースで、PDCCHが端末装置が下り主搬送波で受信した一つのコード文字（下りSPSリソース解放指示のPDCCHを含む）をスケジューリングし、PDCCHが端末装置の下り主成員搬送波で伝送される。
【００４４】
指摘すべきことは、下り主成員搬送波に一つのコード文字伝送のPDCCHがDCI format 2/2A/2B/2C又はDCI format 1Aを採用できるようスケジューリングし、具体的な方式タイプの変更は本発明の保護範囲に影響を与えない。
【００４５】
前記方式を通じて、前記表2と表3に示すように、複製処理後のACK/NACKフィードバック情報が、PUCCH format 1b with channel selection方式を採用する場合にACK/NACKフィードバック状態に対応するQPSK変調記号と信号チャネルリソースがPUCCH format 1aと一致するように保障し、これにより、端末装置とネットワーク側との情報の不明確を防止する。
【００４６】
この上、端末装置がマルチバイト文字伝送モードに設定した下り主成員搬送波で同時に二つのコード文字を受信した場合、情報の不一致の問題は発生しないので、端末装置は直接従来の技術によって処理し、端末装置は、それぞれスケジューリングされた二つのコード文字に対応するACK/NACKフィードバック情報を取得する。
【００４７】
指摘すべきことは、本プロセスにおいて、マルチバイト文字ACK/NACKフィードバック情報の生成はspatial bundlingを採用しない。
【００４８】
手順S303、端末装置が各下り補助成員搬送波に配置された相応するACK/NACKフィードバックビットを取得すること。
【００４９】
この中で、各下り補助成員搬送波におけるACK/NACKフィードバックビットのビット数と下り主成員搬送波における2ビットACK/NACKフィードバックビットとの総和は、手順S301で確定したフィードバックする必要があるACK/NACKフィードバックビットのビット数と等しい。
【００５０】
本手順の処理を通じて、端末装置とネットワーク側との間で、フィードバック待ちACK/NACKフィードバックビットのビット数に関する一致を保障する。
【００５１】
本手順で、ACK/NACKフィードバックビットについて、具体的に二種類の生成方式がある。
方式１、従来の処理に応じること。
端末装置が配置し、それにコード文字を受信していない各下り補助成員搬送波にNACK又はDTXフィードバックビットを生成する。
【００５２】
具体的に言うと、伝送モードがマルチバイトである文字の下り補助成員搬送波が2bビットNACKあるいはDTXを生成してフィードバック情報とし、伝送モードが単一コード文字の下り補助成員搬送波に1ビットNACK又はDTXフィードバックビットを生成することである。
【００５３】
方式２、ACK/NACKフィードバック情報を複製すること。
手順S302と類似して、端末装置がマルチバイト文字伝送モードに設定された下り補助成員搬送波で一つのコード文字だけ受信する場合、端末装置が各下り補助成員搬送波に配置された相応するACK/NACKフィードバック情報を取得し、端末装置が受信した一つのコード文字の1ビットのACK/NACKフィードバック情報を取得し、1ビットACK/NACKフィードバック情報を2ビットに重複し、当該下り補助成員搬送波に対応するACK/NACKフィードバックビットとする。
【００５４】
指摘すべきことは、本プロセスで、マルチバイト文字ACK/NACKフィードバック情報の生成がspatial bundlingを採用しないことである。
【００５５】
手順S304、端末装置が、取得した配置済み下り成員搬送波に対応する各ACK/NACKフィードバックビットを発送する。
【００５６】
端末装置がPUCCH format 1b with channel selection方式を採用し、取得した配置済み下り成員搬送波に相応する各ACK/NACKフィードバックビットによって、候補信号チャネルリソースから一つの信号チャネルリソース及び相応する変調記号を確定する。
端末装置が、確定した一つの信号チャネルリソースで、相応する変調記号を発送する。
【００５７】
この中で、前記候補信号チャネルリソースが少なくとも一つの下り主成員搬送波をスケジューリングするPDCCHに対応する動的信号チャネルリソースを含み、その中で、前記PDCCHが前記下り主成員搬送波で受信した一つのコード文字をスケジューリングするPDCCH又は下りSPSリソース解放指示のPDCCHである。
【００５８】
さらに、優先的に、前記動的信号チャネルリソースは、前記PDCCHの制御信号チャネル元素の最低順番に対応する、即ち、前記PDCCHの制御信号チャネル元素の最低順番によって確定される。
【００５９】
さらに、優先的に、前記端末装置が前記PDCCHの制御信号チャネル元素の最低順番に対応する前記動的信号チャネルリソースを信号チャネル選択に使用する候補信号チャネルリソースの下り主成員搬送波に相応する第一動的信号チャネルリソースとする。即ち、当該動的信号チャネルリソースを信号チャネル選択に使用する候補信号チャネルリソースの第一信号チャネルリソースとする。
【００６０】
具体的な応用場面で、前記動的信号チャネルリソースは、前記PDCCHの制御信号チャネル元素の最低順番に対応する。
【００６１】
従来技術と比べて、本発明の実施形態は下記の優位性を持つ。
本発明の技術案を応用することによって、PUCCH format 1b with channel selection方式を採用し、ACK/NACK対応表に基づいてACK/NACKフィードバック情報を伝送する場合に、ACK/NACKフィードバック情報のフィードバックのプロセスで、基地局と端末装置の伝送方式が一致しないことによる検定結果の不一致の問題を防止することで、LTE Rel-8 PUCCH format 1a/1bに対するロールバックを実現する。
【００６２】
次に、具体的な応用場面に結びつけて、本発明の実施形態で提出した技術案を説明する。
【００６３】
LTE-A システムにおいて、複数の下り搬送波を配置した端末装置について、端末装置がPUCCH Format 1b with channel selection方式を採用してMビットACK/NACK 情報をフィードバックし、Mが2≦M≦4の正整数で、下り主搬送波の伝送モードがマルチバイト文字伝送であり、それに実際に一つのコード文字スケジューリング伝送（一つのSPSリソース解放指示だけあるPDCCH伝送を含む）だけである場合、端末装置がACK/NACKフィードバック情報を伝送するプロセスは下記の通りである。
（1）まず、端末装置が、マルチバイト文字伝送モードに設定されたDL PCCで、スケジューリング済み一つのコード文字又はSPSリソース解放指示のPDCCHの相応する1ビットACK/NACKフィードバック情報を取得し、1ビットACK/NACKフィードバック情報を2ビットに重複し、重複した1ビットACK/NACKフィードバック情報がスケジューリング無しコード文字のACK/NACKフィードバック情報を表すこと。
【００６４】
この中で、DL PCCで受信したコード文字に相応する暗黙の（動的）信号チャネルリソースをPUCCH Format 1b with channel selection方式で信号チャネル選択に使用するM個の信号チャネルリソースのDL PCCに相応する信号チャネルリソースとし、その中で、DL PCCで受信したコード文字に相応する暗黙の信号チャネルリソースがDL PCCで当該コード文字伝送をスケジューリングするPDCCHの最低CCEコードで確定したUL PCCの一つの暗黙の信号チャネルリソース（DL PCCが2個の暗黙の信号チャネルリソースに対応すると、当該PDCCHの最低CCEによって確定した暗黙の信号チャネルリソースがDL PCCに相応する第一信号チャネルリソース、即ち、
【数４】
0005523631.tif 000008
である。）であり、DL PCCで当該コード文字伝送をスケジューリングするPDCCHは、DCI format 2/2A又はDCI format 1Aを採用しても良い。
【００６５】
このプロセスで、マルチバイト文字ACK/NACKフィードバック情報の生成は、spatial bundlingを採用しない。
【００６６】
これだけでなく、DL PCCの二つのコード文字が同時にスケジューリングされる場合、端末装置が実際の受信状況によって、それぞれ各コード文字のACK/NACKフィードバック情報（Rel-8方式）を取得する。
【００６７】
（2）端末装置が、各DL SCCに配置された相応するM-2ビットACK/NACKフィードバック情報を取得し、その中で、Mは端末装置が配置によって確定したACK/NACKフィードバックビット数で、2≦M≦4であり、また、N（N≧2）を端末装置に配置したDL CCと設定し、これにより、本処理プロセスのDL SCCの数量がN-1個であること。
【００６８】
このプロセスで、マルチバイト文字ACK/NACKフィードバック情報の生成は、spatial bundlingを採用しない。
このプロセスで、端末装置がACK/NACKフィードバックビット数を確定する方法は下記の通りである。
FDDシステムに対して、配置した下り成員搬送波の数量、及び、配置した各下り搬送波の伝送モードによってフィードバックする必要があるACK/NACKフィードバック情報のビット数を確定することと、
TDDシステムに対して、配置した下り成員搬送波の数量、一つの上りサブフレームに相応するフィードバックする必要があるACK/NACKフィードバック情報の下りサブフレームの数量、及び、配置した各下り成員搬送波の伝送モードによってフィードバックする必要があるACK/NACKフィードバック情報のビット数を確定すること。
【００６９】
これだけでなく、前述のように、本プロセスにおいて、ACK/NACKフィードバック情報の生成プロセスは下記の二種類の状況を含む。
A、従来技術によって、端末装置がDL SCCで下りデータ・パケットを受信しなかった場合、端末装置が当該DL CCで各コード文字のACK/NACKフィードバック情報がNACK又はDTX状態であると設定すること。
B、DL PCCの類似する処理プロセスによって、DL SCCがマルチバイト文字伝送モードであるが、端末装置が一つのコード文字だけを受信した場合、DL PCCのACK/NACK生成と同じ方式を採用しても良い。即ち、実際に受信した一つのコード文字の1ビットACK/NACKフィードバック情報を重複し、スケジューリング無しコード文字のACK/NACKフィードバック情報とすること。
【００７０】
（3）端末装置がPUCCH format 1b with channel selection伝送方式を採用して、Mビットのフィードバック待ちACK/NACKフィードバック情報を発送すること。
【００７１】
本プロセスの処理は、具体的に次の事項、即ち、端末装置がPUCCH format 1b with channel selection伝送方式を採用して、MビットACK/NACK伝送の対応表によって、フィードバック待ちMビットACK/NACKフィードバック情報から、実際に伝送信号チャネルリソースと伝送変調記号（PUCCH format 1bの4個のQPSK星座点）を選択し、それに相応する信号チャネルリソースで対応する変調記号を発送することを含む。
【００７２】
優先的に、前記方式が、FDDシステム及びTDDシステムの一つの搬送波に一つの下りサブフレームに対応するACK/NACKフィードバックを行う上りサブフレームに適用すること。
【００７３】
具体的な応用場面で、本技術案に応用されるACK/NACK対応表の設計は、2DL CCに基づいて最適化できる。
【００７４】
更に、具体的な応用場面に結びつけて、前記技術案の応用プロセスを下記の通り説明する。
応用場面１、DL CC再配置プロセス、UEが2個のDL CCから1個のDL CCに再配置し、図4に示す場面で、UEが初期に2個のDL CCを配置し、DL CC1がDL PCCにマルチバイト文字伝送モードを採用し、DL CC2がDL SCCに、単一コード文字伝送モードを採用し、eNBがDL PCCだけでDCI format 2又はDCI format 2A又はDCI format 2B又はDCI format 2CをサポートするPDCCHを通じてスケジューリングし、それにコード文字1だけをスケジューリングすると、ACK/NACK伝送のフローは下記の通りである。
端末装置側：再配置が発効するまでの時間内に、UEが依然として2DLCC設定に基づいて処理し、PUCCH format 1b with channel selection方式でACK/NACKを伝送する、即ち、UEが2個のDL CC配置及び各DL CCの伝送モードによって、3ビットACK/NACKのフィードバックが必要であると確定し、UEが取得したDL PCCのコード文字1のACK/NACKフィードバック情報がACKで、重複コード文字1のACK/NACKフィードバック情報を実際にスケジューリング無しコード文字0のフィードバック情報とする、即ち、コード文字0に相応するフィードバック情報もACKであり、UEがDL SCCでデータ・パケットを検定していない場合、DL SCCに対して生成するACK/NACKフィードバック情報がDTXで、これによりUEが最終的に生成する3ビットフィードバック待ちACK/NACKフィードバック情報が[ACK,ACK,DTX]であり、UEが、コード文字1をスケジューリングするDL PCCのPDCCHの最低CCEコードによって、一つのUL PCCの暗黙の信号チャネルリソースを確定し、当該暗黙の信号チャネルリソースをACK/NACK対応表のDL PCCに相応する暗黙の信号チャネルリソースとする、即ち、表2で示した第一信号チャネルリソース
【数５】
0005523631.tif 000009
であり、この後、UEが表2で示したACK/NACK対応表によって、フィードバック待ちACK/NACKフィードバック情報伝送の信号チャネルリソースが第一信号チャネルリソース（即ち、DL PCCに相応する第一暗黙の信号チャネルリソースである）であり、相応する変調記号が「-1」であると確定し、最後に、UEがコード文字1をスケジューリングするPDCCHの最小CCEコードによってUL PCCの暗黙の信号チャネルリソースの発送変調記号「-1」を確定する。
基地局側：基地局はDL PCCだけで一つのコード文字1をスケジューリングしたので、基地局はPUCCH format 1aを採用してACK/NACKフィードバック情報を受信する。PUCCH format 1aの信号チャネルリソースがコード文字0をスケジューリングするPDCCHの最小CCEコードに対応するUL PCCの暗黙の信号チャネルリソースであり、それに、PUCCH format 1aのACKに相応する変調記号も「-1」である、即ち、UEと基地局とは、実際に伝送信号チャネルと伝送変調記号が同じで、曖昧さの問題がない。基地局はPUCCH format 1aの信号チャネルリソース（即ち、コード文字1をスケジューリングするPDCCHの最小CCEコードに相応するUL PCCの暗黙の信号チャネルリソース）を検定することによって、UE発送変調記号「-1」を取得できる、即ち、UEで発送したコード文字0のフィードバック情報ACKを取得できる。
【００７５】
応用場面２、DL CC再配置プロセス、UEが2個のDL CCから1個のDL CCに再配置し、図5に示す場面で、DL CC1がDL PCCにマルチバイト文字伝送モードを採用し、DL CC2がDL SCCに、単一コード文字伝送モードを採用し、eNBがDL PCCだけでDCI format 2又はDCI format 2A又はDCI format 2B又はDCI format 2C又はDCI format 1AをサポートするPDCCHを通じてコード文字0をスケジューリングすると、ACK/NACK伝送のフローは、下記の通りである。
端末装置側：再配置が発効するまでの時間内に、UEが依然として2DLCC配置に基づいて処理し、PUCCH format 1b with channel selection方式でACK/NACKを伝送する、即ち、UEが2個のDL CC配置及び各DL CCの伝送モードによって、3ビットACK/NACKのフィードバックが必要であると確定し、UEが取得したDL PCCのコード文字0のACK/NACKフィードバック情報がACKで、重複コード文字0のACK/NACKフィードバック情報を実際にスケジューリング無しコード文字1のフィードバック情報とする、即ち、コード文字1に相応するフィードバック情報もACKであり、UEがDL SCCでデータ・パケットを検定していない場合、DL SCCに対して生成するACK/NACKフィードバック情報がDTXであり、これにより、UEが最終的に生成する3ビットフィードバック待ちACK/NACKフィードバック情報が[ACK、ACK、DTX]であり、UEがコード文字0をスケジューリングするDL PCCのPDCCHの最低CCEコードによって、一つのUL PCCの暗黙の信号チャネルリソースを確定し、当該暗黙の信号チャネルリソースをACK/NACK対応表のDL PCCに相応する暗黙の信号チャネルリソースとする、即ち、表2に示す第一信号チャネルリソース
【数６】
0005523631.tif 000010
であり、この後、UEがACK/NACK対応表によって、フィードバック待ちACK/NACKフィードバック情報伝送の信号チャネルリソースを第一信号チャネルリソース（即ち、DL PCCに相応する第一暗黙の信号チャネルリソースである）であり、相応する変調記号が「-1」であると確定し、最後に、UEがコード文字0をスケジューリングするPDCCHの最小CCEコードによってUL PCCの暗黙の信号チャネルリソースの発送変調記号「-1」を確定すること。
基地局側：基地局はDL PCCだけで一つのコード文字0をスケジューリングしたので、基地局はPUCCH format 1aを採用してACK/NACKフィードバック情報を受信する。PUCCH format 1aの信号チャネルリソースがコード文字0をスケジューリングするPDCCHの最小CCEコードに対応するUL PCCの暗黙の信号チャネルリソースであり、PUCCH format 1aのACKに相応する変調記号も「-1」である、即ち、UEと基地局とは、実際に伝送信号チャネルと伝送変調記号が同じで、不明確の問題がない。基地局はPUCCH format 1aの信号チャネルリソース（即ち、コード文字0をスケジューリングするPDCCHの最小CCEコードに相応するUL PCCの暗黙の信号チャネルリソース）を検定することによって、UE発送変調記号「-1」を取得できる、即ち、UEで発送したコード文字0のフィードバック情報ACKを取得できる。
【００７６】
応用場面３、DL CC再配置プロセス、UEが2個のDL CCから1個のDL CCに再配置し、図6Aに示す場面で、UEが初期に2個のDL CCを配置し、DL CC1がDL PCCにマルチバイト文字伝送モードを採用し、DL CC2がDL SCCに、マルチバイト文字伝送モードを採用し、eNBがDL PCCだけでDCI format 2又はDCI format 2A又はDCI format 2B又はDCI format 2CをサポートするPDCCHを通じてコード文字0だけスケジューリングすると、ACK/NACK伝送のフローは下記の通りである。
端末装置側：再配置が発効するまでの時間内に、UEが依然として2DLCC配置に基づいて処理し、PUCCH format 1b with channel selection方式でACK/NACKを伝送する、即ち、UEが2個のDL CC配置及び各DL CCの伝送モードによって、4ビットACK/NACKのフィードバックが必要であると確定し、UEが取得したDL PCCのコード文字0のACK/NACKフィードバック情報がACKで、重複コード文字0のACK/NACKフィードバック情報を実際にスケジューリング無しコード文字1のフィードバック情報とする、即ち、コード文字1に相応するフィードバック情報もACKであり、UEがDL SCCでデータ・パケットを検定していない場合、DL SCCに対して生成するACK/NACKフィードバック情報が2個のDTXであり、これでUEが最終的に生成する4ビットフィードバック待ちACK/NACKフィードバック情報が[ACK、ACK、DTX、DTX]であり、UEがコード文字0をスケジューリングするDL PCCのPDCCHの最低CCEコードによって、一つのUL PCCの暗黙の信号チャネルリソースを確定し、当該暗黙の信号チャネルリソースをACK/NACK対応表のDL PCCに相応する暗黙の信号チャネルリソースとする、即ち、表3に示す第一信号チャネルリソース
【数７】
0005523631.tif 000011
であり、この後、UEがACK/NACK対応表によって、フィードバック待ちACK/NACKフィードバック情報伝送の信号チャネルリソースが第一信号チャネルリソース（即ち、DL PCCに相応する第一暗黙の信号チャネルリソースである）であり、相応な変調記号が「-1」であると確定し、最後に、UEがコード文字0をスケジューリングするPDCCHの最小CCEコードによってUL PCCの暗黙の信号チャネルリソースの発送変調記号「-1」を確定する。
基地局側：基地局はDL PCCだけで一つのコード文字0をスケジューリングしたので、基地局はPUCCH format 1aを採用してACK/NACKフィードバック情報を受信する。PUCCH format 1aの信号チャネルリソースがコード文字0をスケジューリングするPDCCHの最小CCEコードに相応するUL PCCの暗黙の信号チャネルリソースであり、それに、PUCCH format 1aのACKに相応する変調記号も「-1」である、即ち、UEと基地局とは、実際に伝送信号チャネルと伝送変調記号が同じで、曖昧さの問題がない。基地局はPUCCH format 1aの信号チャネルリソース（即ち、コード文字0をスケジューリングするPDCCHの最小CCEコードに相応するUL PCCの暗黙の信号チャネルリソース）を検定することによって、UE発送変調記号「-1」を取得できる、即ち、UEで発送したコード文字0のフィードバック情報ACKを取得できる。
【００７７】
応用場面４、DL CC再配置プロセス、UEが2個のDL CCから1個のDL CCに再配置し、図6Bに示す場面で、DL CC1がDL PCCにマルチバイト文字伝送モードを採用し、DL CC2がDL SCCに、マルチバイト文字伝送モードを採用し、eNBがDL PCCだけでDCI format 1Aを支持するPDCCHを通じてコード文字0をスケジューリングすると、ACK/NACK伝送のフローは下記の通りである。
端末装置側：再配置が発効するまでの時間内に、UEが依然として2DLCC配置に基づいて処理し、PUCCH format 1b with channel selection方式でACK/NACKを伝送する、即ち、UEが2個のDL CC配置及び各DL CCの伝送モードによって、4ビットACK/NACKのフィードバックが必要であると確定し、UEが取得したDL PCCのコード文字0のACK/NACKフィードバック情報がACKで、重複コード文字0のACK/NACKフィードバック情報を実際にスケジューリング無しコード文字1のフィードバック情報とする、即ち、コード文字1に相応するフィードバック情報もACKであり、UEがDL SCCでデータ・パケットを検定していない場合、DL SCCに対して生成するACK/NACKフィードバック情報が2個のDTXであり、これでUEが最終的に生成する4ビットフィードバック待ちACK/NACKフィードバック情報が[ACK、ACK、DTX、DTX]であり、UEがコード文字0をスケジューリングするDL PCCのPDCCHの最低CCEコードによって、一つのUL PCCの暗黙の信号チャネルリソースを確定し、当該暗黙の信号チャネルリソースをACK/NACK対応表のDL PCCに相応する暗黙の信号チャネルリソースとする、即ち、表3に示す第一信号チャネルリソース
【数８】
0005523631.tif 000012
であり、この後、UEがACK/NACK対応表によって、フィードバック待ちACK/NACKフィードバック情報伝送の信号チャネルリソースが第一信号チャネルリソース（即ち、DL PCCに相応する第一暗黙の信号チャネルリソースである）であり、相応する変調記号が「1」であると確定し、最後に、UEがコード文字0をスケジューリングするPDCCHの最小CCEコードによってUL PCCの暗黙の信号チャネルリソースの発送変調記号「1」を確定する。
基地局側：基地局はDL PCCだけで一つのコード文字0をスケジューリングしたので、基地局はPUCCH format 1aを採用してACK/NACKフィードバック情報を受信する。PUCCH format 1aの信号チャネルリソースがコード文字0をスケジューリングするPDCCHの最小CCEコードに相応するUL PCCの暗黙の信号チャネルリソースであり、それに、PUCCH format 1aのACKに相応する変調記号も「-1」である、即ち、UEと基地局とは、実際に伝送信号チャネルと伝送変調記号が同じで、曖昧さの問題がない。基地局はPUCCH format 1aの信号チャネルリソース（即ち、コード文字0をスケジューリングするPDCCHの最小CCEコードに相応するUL PCCの暗黙の信号チャネルリソース）を検定することによって、UE発送変調記号「-1」を取得できる、即ち、UEで発送したコード文字0のフィードバック情報NACKを取得できる。
【００７８】
応用場面５、DL CC再配置プロセス、UEが2個のDL CCから1個のDL CCに再配置し、図7に示す場面で、DL CC1がDL PCCに単一コード文字伝送モードを採用し、DL CC2がDL SCCに、マルチバイト文字伝送モードを採用し、eNBがDL PCCだけでDCI format 2又はDCI format 2A又はDCI format 2B又はDCI format 2C又はDCI format 1Aを支持するPDCCHを通じてコード文字0だけスケジューリングすると、ACK/NACK伝送のフローは下記の通りである。
端末装置側：再配置が発効するまでの時間内に、UEが依然として2DLCC配置に基づいて運行し、PUCCH format 1b with channel selection方式でACK/NACKを伝送する、即ち、UEが2個のDL CC配置及び各DL CCの伝送モードによって、3ビットACK/NACKのフィードバックが必要であると確定し、UEが取得したDL PCCのコード文字0のACK/NACKフィードバック情報がACKで、重複コード文字0のACK/NACKフィードバック情報を実際にスケジューリング無しコード文字1のフィードバック情報とする、即ち、コード文字1に相応するフィードバック情報もACKであり、UEがDL SCCでデータ・パケットを検定していない場合、DL SCCに対して生成するACK/NACKフィードバック情報が2個のDTXであり、これでUEが最終的に生成する4ビットフィードバック待ちACK/NACKフィードバック情報が[ACK、ACK、DTX]であり（3ビット伝送について、マルチバイト文字伝送モードに配置したDL CCのACK/NACKフィードバック情報をフィードバック情報順番の前に配置する、即ち、ACK/NACK対応表のACK/NACKフィードバック状態の前2桁に相応する）、UEがDL SCC上のコード文字0をスケジューリングするDL PCCのPDCCHの最低CCEコードによって、一つのUL PCCの暗黙の信号チャネルリソースを確定し、当該暗黙の信号チャネルリソースをACK/NACK対応表のDL PCCに相応する暗黙の信号チャネルリソースとする、即ち、表3に示す第一信号チャネルリソース
【数９】
0005523631.tif 000013
であり、この後、UEがACK/NACK対応表によって、フィードバック待ちACK/NACKフィードバック情報伝送の信号チャネルリソースが第一信号チャネルリソース（即ち、DL PCCに相応する第一暗黙の信号チャネルリソースである）であり、相応な変調記号が「-1」であると確定し、最後に、UEがコード文字0をスケジューリングするPDCCHの最小CCEコードによってUL PCCの暗黙の信号チャネルリソースの発送変調記号「-1」を確定する。
基地局側：基地局はDL SCCだけで一つのコード文字0をスケジューリングしたので、基地局はPUCCH format 1aを採用してACK/NACKフィードバック情報を受信する。PUCCH format 1aの信号チャネルリソースがコード文字0をスケジューリングするPDCCHの最小CCEコードに相応するUL PCCの暗黙の信号チャネルリソースであり、それに、PUCCH format 1aのACKに相応する変調記号も「-1」である、即ち、UEと基地局とは、実際に伝送信号チャネルと伝送変調記号が同じで、曖昧さの問題がない。基地局はPUCCH format 1aの信号チャネルリソース（即ち、コード文字0をスケジューリングするPDCCHの最小CCEコードに相応するUL PCCの暗黙の信号チャネルリソース）を検定することによって、UE発送変調記号「-1」を取得できる、即ち、UEで発送したコード文字0のフィードバック情報ACKを取得できる。
【００７９】
応用場面６、DL CC再配置プロセス、UEが2個のDL CCから1個のDL CCに再配置し、図8に示す場面で、DL CC1がDL PCCにマルチバイト文字伝送モードを採用し、DL CC2がDL SCCに、単一コード文字伝送モードを採用し、eNBがDL PCCで一つの下りSPSリソース解放指示のPDCCH（SPS release PDCCH）だけ伝送した場合、ACK/NACK伝送のフローは下記の通りである。
端末装置側：再配置が発効するまでの時間内に、UEが依然として2DLCC配置に基づいて処理し、PUCCH format 1b with channel selection方式でACK/NACKを伝送する、即ち、UEが2個のDL CC配置及び各DL CCの伝送モードによって、3ビットACK/NACKのフィードバックが必要であると確定し、UEが取得したDL PCCの下りSPSリソース解放指示のPDCCHのACK/NACKフィードバック情報がNACKで、当該ACK/NACKフィードバック情報の重複が2ビットで、DL PCCのACK/NACKフィードバック情報とするし、即ち、下りSPS解放指示のPDCCHをいつもマルチバイト文字伝送モードのコード文字0として処理し、実際にスケジューリング無しのコード文字1位置の相応なフィードバック情報も重複で得られる、即ち、コード文字1位置の相応なフィードバック情報もNACKであり、UEがDL SCCでデータ・パケットを検定していない場合、DL SCCに対して生成するACK/NACKフィードバック情報がDTXであり、これでUEが最終的に生成する3ビットフィードバック待ちACK/NACKフィードバック情報が[ACK、ACK、DTX]であり、UEがDL PCCの上で受信した下りSPSリソース解放指示のPDCCHの最低CCEコードによって、一つのUL PCCの暗黙の信号チャネルリソースを確定し、当該暗黙の信号チャネルリソースをACK/NACK対応表のDL PCCに相応する暗黙の信号チャネルリソースとする、即ち、表2に示す第一信号チャネルリソース
【数１０】
0005523631.tif 000014
であり、この後、UEがACK/NACK対応表によって、フィードバック待ちACK/NACKフィードバック情報伝送の信号チャネルリソースが第一信号チャネルリソース（即ち、DL PCCに相応する第一暗黙の信号チャネルリソースである）であり、相応な変調記号が「1」であると確定し、最後に、UEがSPSリソース解放指示の当該PDCCHの最小CCEコードによってUL PCCの暗黙の信号チャネルリソースの発送変調記号「1」を確定する。
基地局側：基地局は、DL PCCだけで一つの下りSPSリソース解放指示のPDCCHを発送したので、基地局はPUCCH format 1aを採用してACK/NACKフィードバック情報を受信する。PUCCH format 1aの信号チャネルリソースが下りSPSリソース解放指示のPDCCHの最小CCEコードに相応するUL PCCの暗黙の信号チャネルリソースであり、それに、PUCCH format 1aのNACKに相応する変調記号も「-1」である、即ち、UEと基地局とは、実際に伝送信号チャネルと伝送変調記号が同じで、曖昧さの問題がない。基地局は、PUCCH format 1aの信号チャネルリソース（即ち、下りSPSリソース解放指示のPDCCHの最小CCEコード相応なUL PCCの暗黙の信号チャネルリソース）を検定することによって、UE発送変調記号「-1」を取得できる、即ち、UEで発送した下りSPSリソース解放指示のPDCCHのフィードバック情報NACKを取得できる。
【００８０】
応用場面７、DL CC再配置プロセス、UEが2個のDL CCから1個のDL CCに再配置し、図9に示す場面で、DL CC1がDL PCCにマルチバイト文字伝送モードを採用し、DL CC2がDL SCCに、マルチバイト文字伝送モードを採用し、eNBがDL PCCで一つの下りSPSリソース解放指示のPDCCHだけを伝送した場合、ACK/NACK伝送のフローは下記の通りである。
端末装置側：再配置が発効するまでの時間内に、UEが依然として2DLCC配置に基づいて処理し、PUCCH format 1b with channel selection方式でACK/NACKを伝送する、即ち、UEが2個のDL CC配置及び各DL CCの伝送モードによって、4ビットACK/NACKのフィードバックが必要であると確定し、UEが取得したDL PCCの下りSPSリソース解放指示のPDCCHのACK/NACKフィードバック情報がACKで、当該ACK/NACKフィードバック情報の重複が2ビットで、DL PCCのACK/NACKフィードバック情報とする、即ち、下りSPS解放指示のPDCCHをいつもマルチバイト文字伝送モードのコード文字0として処理し、実際にスケジューリング無しのコード文字1位置に相応するフィードバック情報も重複で得られる、即ち、コード文字1位置に相応するフィードバック情報もACKであり、UEがDL SCCでデータ・パケットを検定していない場合、DL SCCに対して生成するACK/NACKフィードバック情報が2個のDTXであり、これでUEが最終的に生成する4ビットフィードバック待ちACK/NACKフィードバック情報が[ACK、ACK、DTX、DTX]であり、UEがDL PCCの上で受信した下りSPSリソース解放指示のPDCCHの最低CCEコードによって、一つのUL PCCの暗黙の信号チャネルリソースを確定し、当該暗黙の信号チャネルリソースをACK/NACK対応表のDL PCCに相応する暗黙の信号チャネルリソースとする、即ち、表3で示した第一信号チャネルリソース
【数１１】
0005523631.tif 000015
であり、この後、UEがACK/NACK対応表によって、フィードバック待ちACK/NACKフィードバック情報伝送の信号チャネルリソースが第一信号チャネルリソース（即ち、DL PCCに相応する第一暗黙の信号チャネルリソースである）であり、相応な変調記号が「-1」であると確定し、最後に、UEがSPSリソース解放指示の当該PDCCHの最小CCEコードによってUL PCCの暗黙の信号チャネルリソースの発送変調記号「-1」を確定する。
基地局側：基地局はDL PCCだけで一つの下りSPSリソース解放指示のPDCCHを発送したので、基地局はPUCCH format 1aを採用してACK/NACKフィードバック情報を受信する。PUCCH format 1aの信号チャネルリソースが下りSPSリソース解放指示のPDCCHの最小CCEコードに相応するUL PCCの暗黙の信号チャネルリソースであり、それに、PUCCH format 1aのACKに相応する変調記号も「-1」である、即ち、UEと基地局とは、実際に伝送信号チャネルと伝送変調記号が同じで、曖昧さの問題がない。基地局はPUCCH format 1aの信号チャネルリソース（即ち、下りSPSリソース解放指示のPDCCHの最小CCEコードに相応するUL PCCの暗黙の信号チャネルリソース）を検定することによって、UE発送変調記号「-1」を取得できる、即ち、UEで発送した下りSPSリソース解放指示のPDCCHのフィードバック情報ACKを取得できる。
【００８１】
従来技術と比べて、本発明の実施形態は下記の優位性を持つ。
本発明の技術案を応用することによって、PUCCH format 1b with channel selection方式を採用し、ACK/NACK対応表に基づいてACK/NACKフィードバック情報を伝送する場合、ACK/NACKフィードバック情報フィードバックのプロセスで、基地局と端末装置の伝送方式が一致しないことによる検定結果の不一致の問題を解決し、これによりLTE Rel-8 PUCCH format 1a/1bに対するロールバックを実現できる。
【００８２】
本発明の実施形態の技術案を実現する為に、本発明の実施形態は、その構造見取図は図10に示すように、端末装置が、マルチバイト文字伝送モードに設定された下り主成員搬送波で一つのコード文字だけを受信した場合、受信した一つのコード文字の1ビットのACK/NACKフィードバック情報を取得し、1ビットACK/NACKフィードバック情報を2ビットに重複し、下り主成員搬送波に相応するACK/NACKフィードバックビットとし、この上、配置した各下り補助成員搬送波に相応するACK/NACKフィードバックビットを取得することに使用される取得モジュール71と、
この中で、前記一つのコード文字は、動的スケジューリングの一つのコード文字伝送及び一つの下り準持続スケジューリング（SPS、Semi-Persistent Scheduling）リソース解放指示のPDCCH伝送の状況を含む、即ち、端末装置がマルチバイト文字伝送モードに設定された下り主成員搬送波で一つの下りSPSリソース解放指示のPDCCHだけを受信した場合、前記一つのコード文字が当該下りSPSリソース解放指示のPDCCHと等しく、端末装置が受信した下りSPSリソース解放指示のPDCCHの1ビットのACK/NACKフィードバック情報を取得し、1ビットACK/NACKフィードバック情報を2ビットに重複し、下り主成員搬送波に相応するACK/NACKフィードバックビットとする。
取得モジュール71が取得した配置済み下り成員搬送波に相応する各ACK/NACKフィードバックビットを発送する発送モジュール72を含む端末装置を提供する。
【００８３】
具体的な応用場面で、本端末装置は、確定モジュール73を含み、これでフィードバックする必要があるACK/NACKフィードバックビットのビット数を確定し、この中で、前記各下り補助成員搬送波に相応するACK/NACKフィードバックビットのビット数と前記下り主成員搬送波に相応する2ビットACK/NACKフィードバックビットとの総和は前記確定モジュールで確定したフィードバックする必要があるACK/NACKフィードバックビットのビット数と等しく、具体的に下記の事項を含む。
FDDシステムに対して、配置した下り成員搬送波の数量、及び、配置した各下り搬送波の伝送モードによって、フィードバックする必要があるACK/NACKフィードバックビットのビット数を確定することと、
TDDシステムに対して、配置した下り成員搬送波の数量、一つの上りサブフレームに相応するACK/NACKフィードバック情報をフィードバックする必要がある下りサブフレーム数量、及び、配置した各下り成員搬送波の伝送モードによって、フィードバックする必要があるACK/NACKフィードバックビットのビット数を確定すること。
【００８４】
更に、取得モジュール71は、候補信号チャネルリソースを取得し、前記候補信号チャネルリソースが少なくともスケジューリングした下り主成員搬送波のPDCCHと相応する一つの動的信号チャネルリソースを含む。
【００８５】
また、取得モジュール71は、前記下り主成員搬送波をスケジューリングするPDCCH制御信号チャネル元素CCEの最低順番によって一つの動的信号チャネルリソースを確定する。この中で、前記下り主成員搬送波をスケジューリングするPDCCHは、動的データ伝送のPDCCHと下りSPSリソース解放指示のPDCCHを含む。
【００８６】
また、本端末装置は、選択モジュール74を含み、これで取得モジュール71で前記スケジューリング下り主成員搬送波のPDCCHの制御信号チャネル元素CCEの最低順番によって取得した一つの動的信号チャネルリソースを端末装置で信号チャネル選択に使用する候補信号チャネルリソースの下り主成員搬送波に相応する第一動的信号チャネルリソースとする。即ち、当該動的信号チャネルリソースを信号チャネル選択で使用する候補信号チャネルリソースの第一信号チャネルリソースとする。また、指摘すべきことは、選択モジュール74が、UEでPUCCH format 1b with channel selection方式を採用してACK/NACKフィードバック情報を伝送する場合、取得モジュール71で取得した配置済み下り成員搬送波に相応する各ACK/NACKフィードバックビットによって、取得モジュール71で取得した候補信号チャネルリソースの中から相応する一つの信号チャネルリソースと変調記号を確定することである。
発送モジュール72は、具体的に、選択モジュール74で選択した相応する信号チャネルリソースで変調記号を発送する。
【００８７】
更に指摘すべきことは、取得モジュール71が、配置した各下り補助成員搬送波に相応するACK/NACKフィードバックビットを取得し、更に下記の事項を含む。
前記取得モジュール71が、配置し、それにコード文字を受信していない各下り補助成員搬送波にNACKあるいはDTXフィードバックビットを生成すること、又は、
マルチバイト文字伝送モードに配置した下り補助成員搬送波で一つのコード文字だけを受信した場合、受信した一つのコード文字の1ビットのACK/NACKフィードバック情報を取得し、1ビットACK/NACKフィードバック情報を2ビットに重複し、下り補助成員搬送波のACK/NACKフィードバックビットとする。
【００８８】
従来技術と比べて、本発明の実施形態は下記の優位性を持つ。
本発明の技術案を応用することによって、PUCCH format 1b with channel selection方式を採用し、ACK/NACK対応表に基づいてACK/NACKフィードバック情報を伝送する場合、ACK/NACKフィードバック情報フィードバックのプロセスで、基地局と端末装置の伝送方式が一致しないことによる検定結果の不一致の問題を解決し、これによりLTE Rel-8 PUCCH format 1a/1bに対するロールバックを実現する。
【００８９】
前記の実施形態の説明を通じて、本技術分野の技術者は、ソフトウェアの上に必要な一般的なハードウェアのプラットフォームを加える方式で本発明を実現することができることを明確に理解できる。勿論、ハードウェアを通じても実現できるが、多くの場合、前者の方がより良い実施形態である。このような理解に基づいて、本発明の案は、本質的にいうと、又は従来技術に貢献した部分に関して、ソフトウェア製品という形式で表すことができ、当該ソフトウェア製品を記憶媒体に記憶させること、それに若干の指令を含ませることで、一台のコンピューター設備（PC、サーバー、ネットワーク設備など）に本発明の各実施形態の前記方法を実行させる。
【００９０】
本技術分野の技術者が理解できるように、添付図面は一つの最適な実施形態の見取図に過ぎず、添付図面のモジュール又はフローは本発明の実施に必要なものではない。
【００９１】
本技術分野の技術者が本実施形態に係る装置のモジュールを理解し、実施形態の説明通りに実施形態に係る装置に配置することができる。また、実際の状況に合わせて実施し、本実施形態と異なる一つ、あるいは複数の装置に配置することもできる。前記の実施形態のモジュールを一体に集積しても良いが、複数のサブモジュールにしても良い。
【００９２】
本発明の実施形態である応用場面に付された番号は説明上の利便性のためであり、実施形態の優劣は意味しない。
【００９３】
上記に記載されたものは、本発明の幾つかの具体的な実施形態に過ぎず、本発明はこれに限らず、本技術分野の技術者が想到し得る変化はすべて本発明の保護範囲に属すべきである。
【００９４】
（関連出願の相互参照）
本出願は2010年10月18日中国特許局に提出され、出願番号が201010517313.6で、発明名称が「ACK/NACKフィードバック情報の伝送方法と設備」である中国特許出願の優先権で、全部の内容は引用を通じて本出願に導入される。
【図１】
0005523631.tif 000016
【図２】
0005523631.tif 000017
【図３】
0005523631.tif 000018
【図４】
0005523631.tif 000019
【図５】
0005523631.tif 000020
【図６Ａ】
0005523631.tif 000021
【図６Ｂ】
0005523631.tif 000022
【図７】
0005523631.tif 000023
【図８】
0005523631.tif 000024
【図９】
0005523631.tif 000025
【図１０】
0005523631.tif 000026